(57)【要約】 【課題】  通信機能を備えていない電気機器でも有償で電力の供給が可能な電源プラグ、電源コンセント、タグ管理装置及び電力供給システムを提供する。【解決手段】  使用者ＩＤが記憶されるＩＣタグ１５を有する電源プラグ１０と、電源プラグ１０を差込み可能であり電源プラグ１０のＩＣタグ１５に記憶された使用者ＩＤを取得するタグ読み取り装置２４を有する電源コンセント２０と、電源プラグ１０から電源コンセント２０が取得した使用者ＩＤがタグデータベース３７に登録されているかどうかを判定し、使用者ＩＤがタグデータベース３７に登録されていると判定した場合に判定結果に応じた情報を電源コンセント２０側に送出するタグ管理装置３０とを備え、電源プラグ１０が電源コンセント２０に差込まれた場合には、ＩＣタグ１５の使用者ＩＤに応じて電源コンセント２０及び電源プラグ１０を介して電気機器に電力を供給する。【選択図】  図２
2006244818.tif 000002
【特許請求の範囲】
【請求項１】
電源コンセントに差込可能な電源プラグであって、
前記電源コンセント側に送出される第１識別情報が記憶されたＩＣタグを備え、
前記電源コンセントに差込んだ際に前記第１識別情報に応じて前記電源コンセントから電力の供給を受けることを特徴とする電源プラグ。
【請求項２】
電源コードが延出されてなる他のプラグと連結可能なアダプタプラグであることを特徴とする請求項１記載の電源プラグ。
【請求項３】
前記ＩＣタグは、前記電源プラグに内蔵されていることを特徴とする請求項１又は請求項２記載の電源プラグ。
【請求項４】
前記ＩＣタグは、前記電源プラグの前記電源コンセント側の部分に設けられていることを特徴とする請求項１ないし請求項３のいずれかに記載の電源プラグ。
【請求項５】
前記ＩＣタグは、前記第１識別情報を書き込み可能な記憶手段を備えていることを特徴とする請求項１ないし請求項４のいずれかに記載の電源プラグ。
【請求項６】
電源プラグを差し込み可能な電源コンセントであって、
前記電源プラグが備えるＩＣタグに記憶された第１識別情報を取得する識別情報取得手段を備えることを特徴とする電源コンセント。
【請求項７】
前記電源プラグ側への電力の供給を遮断する電力遮断手段を備えることを特徴とする請求項６記載の電源コンセント。
【請求項８】
前記電源プラグ側へ供給される電力量を計測する電力計測手段を備えることを特徴とする請求項６又は請求項７記載の電源コンセント。
【請求項９】
前記電源プラグが差込まれたことを検知する差込検知手段を備え、
前記差込検知手段により前記電源プラグが差込まれたことが検知された場合に、前記識別情報取得手段により前記電源プラグのＩＣタグから前記第１識別情報を取得することを特徴とする請求項６ないし請求項８のいずれかに記載の電源コンセント。
【請求項１０】
前記識別情報取得手段は、常時稼働していることを特徴とする請求項６ないし請求項８のいずれかに記載の電源コンセント。
【請求項１１】
前記識別情報取得手段が取得した第１識別情報を、前記第１識別情報と対応する第２識別情報が記憶されるタグ管理装置に送信するための通信手段を備えることを特徴とする請求項６ないし請求項１０のいずれかに記載の電源コンセント。
【請求項１２】
電源プラグから電源コンセントが取得した第１識別情報が参照用データに登録されているかどうかを判定する判定手段と、
前記判定手段により前記第１識別情報が前記参照用データに登録されていると判定した場合に、前記判定結果に基づく情報を前記電源コンセント側に送出する送出手段と、を備えることを特徴とするタグ管理装置。
【請求項１３】
使用者に関する情報である第２識別情報を入力可能な入力手段と、
前記電源プラグのＩＣタグに前記第２識別情報と対応する前記第１識別情報を書き込む書き込み手段と、を備えることを特徴とする請求項１２に記載のタグ管理装置。
【請求項１４】
前記電源コンセントと通信手段により接続されており、
前記第１識別情報に応じて、前記通信手段を介して前記電源コンセントによる電力の供給を制御することを特徴とする請求項１２又は請求項１３に記載のタグ管理装置。
【請求項１５】
前記参照用データに登録されている前記第１識別情報には有効期限が設けられており、前記有効期限を過ぎると前記第１識別情報が消滅することを特徴とする請求項１２ないし請求項１４のいずれかに記載のタグ管理装置。
【請求項１６】
前記有効期限は、前記第１識別情報の登録からの経過時間であることを特徴とする請求項１５に記載のタグ管理装置。
【請求項１７】
前記有効期限は、前記電源コンセントに前記電源プラグが差込まれてからの経過時間であることを特徴とする請求項１５に記載のタグ管理装置。
【請求項１８】
時刻を入力可能な入力手段を備え、
前記有効期限は、前記入力手段に入力される時刻であることを特徴とする請求項１５に記載のタグ管理装置。
【請求項１９】
前記電源コンセントから前記電源プラグの差込回数に応じた信号を受けており、
前記差込回数に応じて前記参照用データに登録されている前記第１識別情報が消滅することを特徴とする請求項１２ないし請求項１４のいずれかに記載のタグ管理装置。
【請求項２０】
第１識別情報が記憶されるＩＣタグを有する電源プラグと、
前記電源プラグを差込み可能であり前記電源プラグのＩＣタグに記憶された前記第１識別情報を取得する識別情報取得手段を有する電源コンセントと、
前記電源プラグから前記電源コンセントが取得した前記第１識別情報が参照用データに登録されているかどうかを判定する判定手段と当該判定手段により前記第１識別情報が前記参照用データに登録されていると判定した場合に前記判定結果に応じた情報を前記電源コンセント側に送出する送出手段とを有するタグ管理装置と、を備え、
前記電源プラグが前記電源コンセントに差込まれた場合には、前記ＩＣタグの第１識別情報に応じて前記電源コンセントから前記電源プラグに電力を供給することを特徴とする電力供給システム。
【請求項２１】
前記電源コンセントと前記タグ管理装置とは通信手段を介して接続されており、
前記タグ管理装置は、前記第１識別情報に応じて、前記通信手段を介して前記電源コンセントによる電力の供給を制御することを特徴とする請求項２０記載の電力供給システム。
【請求項２２】
第１識別情報が記憶されるＩＣタグを有する電源プラグと、
前記電源プラグを差込み可能であり前記電源プラグのＩＣタグに記憶された第１識別情報を取得する識別情報取得手段を有する電源コンセントと、を備え、
前記電源プラグが前記電源コンセントに差込まれた場合には、前記ＩＣタグの第１識別情報に応じて前記電源コンセントから前記電源プラグに電力が供給されることを特徴とする電力供給システム。
【請求項２３】
電源コンセントに差込可能であって前記電源コンセント側に送出される第１識別情報が記憶されるＩＣタグを備える電源プラグと、
使用者に関する情報である第２識別情報を入力可能な入力手段と前記電源プラグのＩＣタグに前記第１識別情報を書き込み可能な書き込み手段とを備えるタグ管理装置と、を備え、
前記電源プラグが前記タグ管理装置にセットされた場合には、前記使用者が入力した前記第２識別情報と対応する前記第１識別情報が前記書き込み手段により前記ＩＣタグに書き込まれることを特徴とする電力供給システム。
【請求項２４】
電源プラグを差込み可能であり前記電源プラグのＩＣタグに記憶された第１識別情報を取得する識別情報取得手段を有する電源コンセントと、
電源プラグから電源コンセントが取得した第１識別情報が参照用データに登録されているかどうかを判定する判定手段と前記判定手段により前記第１識別情報が前記参照用データに登録されていると判定した場合に前記判定結果に基づく情報を前記電源コンセント側に送出する送出手段とを有するタグ管理装置と、を備え、
前記電源プラグが前記電源コンセントに差込まれた場合には、前記ＩＣタグの第１識別情報に応じて前記電源コンセントから前記電源プラグに電力が供給されることを特徴とする電力供給システム。
【発明の詳細な説明】
【技術分野】
【０００１】
本発明は、有料で電力を供給するために用いられる電源プラグ、電源コンセント、タグ管理装置及び電力供給システムに関する。
【背景技術】
【０００２】
交流電源のコンセントは電源プラグを差し込むだけで、手軽に電気機器に電力を供給することができる。このため、ほとんどの家庭やオフィスには電源コンセントが設置され、多くの電気機器を利用する現代社会では、生活や仕事の必需品となっている。しかし、家庭やオフィスから一歩外に出ると、携帯型のパソコンや電子手帳などの情報機器、あるいは音楽プレイヤー、ドライヤーや電気髭剃り器などの電気機器を接続して自由に利用できる電源コンセントはほとんど存在せず、あらかじめ充電された電池などを用いて容量の限界を気にしながら電気機器を使用するしかないのが現状である。自由に使用できる電源コンセントが公共の場所に設置されていない理由としては、使用した電力量に応じて確実に料金を徴収するためには、鍵つきの蓋を電源コンセントにつけて使用前に鍵を貸し出し、使用後に鍵を返還する際に使用量に応じて料金の支払いを受けるなどの方法をとらねばならず、サービスを提供するにあたってコストがかかりすぎることが考えられる。
【０００３】
そこで、上記のような課題を解決することを目的とした従来技術として、下記特許文献１に示すように、通信回線によって電話交換機に接続されるサーバと、携帯端末を接続可能であり、通信回線及び電話交換機を介して前記サーバに接続される充電ターミナルとを備えた携帯端末装置の充電システムが開示されている。該充電システムを用いれば、使用者は外出先で携帯端末に簡便に充電して、電池切れによる通信中断を回避することができる。
【０００４】
また、下記特許文献２においては、電気機器に対して電力及び通信信号を供給する電力線ＬＡＮを用いることにより、電力供給時に使用者にＩＤとパスワードの入力を求め、電力供給装置が電気機器に供給した電力の課金を制御する電力供給課金システムが開示されている。また、該電力供給課金システムにおいては、電力線ＬＡＮを用いるかその他の参考例として電力信号と通信信号を分離する機能を提供し、電源コンセントと通信コネクタを近接して配置することも可能としている。
【特許文献１】特開平１０−２２９６４７号公報
【特許文献２】特開２００４−２３４１１７公報
【発明の開示】
【発明が解決しようとする課題】
【０００５】
しかしながら、上記特許文献１においては、携帯端末が電話回線網のデータベースに登録された通信端末であることが必須要件であり、あらかじめ登録されて一意に認証可能なＩＤを備えていないその他の電気機器、例えばドライヤーや電気髭剃り器では使用できない。また、充電装置を必要とするため、電源コンセントに直接接続して必要な時間あるいは量だけ電力を使用することができない。
【０００６】
また、上記特許文献２においては、ユーザが入力したＩＤとパスワードを通信手段を通じてサーバに通知し、認証を得る必要がある。したがってキーボードなどの入力手段と通信手段を各電気機器に備える必要があり、パソコン等とは異なり本来そのような機能を有しない電気髭剃り器などの電気機器にとってはコストが高くつくばかりか、小型化が困難になり実用的ではない。
【０００７】
本発明は上記のような事情に基づいて完成されたものであって、通信機能を備えていない電気機器でも有償で電力の供給が可能な電源プラグ、電源コンセント、タグ管理装置及び電力供給システムを提供することを目的とする。
【課題を解決するための手段】
【０００８】
上記の目的を達成するための手段として、請求項１の発明の電源プラグは、電源コンセントに差込可能な電源プラグであって、
前記電源コンセント側に送出される第１識別情報が記憶されたＩＣタグを備え、
前記電源コンセントに差込んだ際に前記第１識別情報に応じて前記電源コンセントから電力の供給を受ける構成としたところに特徴を有する。
なお、電源プラグには、電源コードが延出される電源プラグと、電源コードを有さず他の電源プラグから電力の供給を受ける電源プラグとが含まれる。
【０００９】
請求項２の発明は、請求項１に記載のものにおいて、電源コードが延出されてなる他のプラグと連結可能なアダプタプラグであるところに特徴を有する。
【００１０】
請求項３の発明は、請求項１または請求項２に記載のものにおいて、前記ＩＣタグは、前記電源プラグに内蔵されているところに特徴を有する。
【００１１】
請求項４の発明は、請求項１ないし請求項３のいずれかに記載のものにおいて、前記ＩＣタグは、前記電源プラグの前記電源コンセント側の部分に設けられているところに特徴を有する。
【００１２】
請求項５の発明は、請求項１ないし請求項４のいずれかに記載のものにおいて、前記ＩＣタグは、前記第１識別情報を書き込み可能な記憶手段を備えているところに特徴を有する。
【００１３】
請求項６の発明は、電源プラグを差し込み可能な電源コンセントであって、前記電源プラグが備えるＩＣタグに記憶された第１識別情報を取得する識別情報取得手段を備える構成としたところに特徴を有する。
【００１４】
請求項７の発明は、請求項６に記載のものにおいて、前記電源プラグ側への電力の供給を遮断する電力遮断手段を備えるところに特徴を有する。
【００１５】
請求項８の発明は、請求項６又は請求項７に記載のものにおいて、前記電源プラグ側へ供給される電力量を計測する電力計測手段を備えるところに特徴を有する。
【００１６】
請求項９の発明は、請求項６ないし請求項８のいずれかに記載のものにおいて、前記電源プラグが差込まれたことを検知する差込検知手段を備え、
前記差込検知手段により前記電源プラグが差込まれたことが検知された場合に、前記識別情報取得手段により前記電源プラグのＩＣタグから前記第１識別情報を取得するところに特徴を有する。
【００１７】
請求項１０の発明は、請求項６ないし請求項８のいずれかに記載のものにおいて、前記識別情報取得手段は、常時稼働しているところに特徴を有する。
【００１８】
請求項１１の発明は、請求項６ないし請求項１０のいずれかに記載のものにおいて、前記識別情報取得手段が取得した第１識別情報を、前記第１識別情報と対応する第２識別情報が記憶されるタグ管理装置に送信するための通信手段を備えるところに特徴を有する。
【００１９】
請求項１２のタグ管理装置の発明は、電源プラグから電源コンセントが取得した第１識別情報が参照用データに登録されているかどうかを判定する判定手段と、
前記判定手段により前記第１識別情報が前記参照用データに登録されていると判定した場合に、前記判定結果に基づく情報を前記電源コンセント側に送出する送出手段と、を備える構成としたところに特徴を有する。
【００２０】
請求項１３の発明は、請求項１２に記載のものにおいて、使用者に関する情報である第２識別情報を入力可能な入力手段と、
前記電源プラグのＩＣタグに前記第２識別情報と対応する前記第１識別情報を書き込む書き込み手段と、を備えるところに特徴を有する。
【００２１】
請求項１４の発明は、請求項１２又は請求項１３に記載のものにおいて、前記電源コンセントと通信手段により接続されており、
前記第１識別情報に応じて、前記通信手段を介して前記電源コンセントによる電力の供給を制御するところに特徴を有する。
【００２２】
請求項１５の発明は、請求項１２ないし請求項１４のいずれかに記載のものにおいて、前記参照用データに登録されている前記第１識別情報には有効期限が設けられており、前記有効期限を過ぎると前記第１識別情報が消滅するところに特徴を有する。
【００２３】
請求項１６の発明は、請求項１５に記載のものにおいて、前記有効期限は、前記第１識別情報の登録からの経過時間であるところに特徴を有する。
【００２４】
請求項１７の発明は、請求項１５に記載のものにおいて、前記有効期限は、前記電源コンセントに前記電源プラグが差込まれてからの経過時間であるところに特徴を有する。
【００２５】
請求項１８の発明は、請求項１５に記載のものにおいて、時刻を入力可能な入力手段を備え、前記有効期限は、前記入力手段に入力される時刻であるところに特徴を有する。
【００２６】
請求項１９の発明は、請求項１２ないし請求項１４のいずれかに記載のものにおいて、前記電源コンセントから、前記電源プラグの差込回数に応じた信号を受けており、
前記差込回数に応じて前記参照用データに登録されている前記第１識別情報が消滅するところに特徴を有する。
【００２７】
請求項２０の電力供給システムの発明は、第１識別情報が記憶されるＩＣタグを有する電源プラグと、
前記電源プラグを差込み可能であり前記電源プラグのＩＣタグに記憶された前記第１識別情報を取得する識別情報取得手段を有する電源コンセントと、
前記電源プラグから前記電源コンセントが取得した前記第１識別情報が参照用データに登録されているかどうかを判定する判定手段と当該判定手段により前記第１識別情報が前記参照用データに登録されていると判定した場合に前記判定結果に応じた情報を前記電源コンセント側に送出する送出手段とを有するタグ管理装置と、を備え、
前記電源プラグが前記電源コンセントに差込まれた場合には、前記ＩＣタグの第１識別情報に応じて前記電源コンセントから前記電源プラグに電力を供給するところに特徴を有する。
【００２８】
請求項２１の電力供給システムの発明は、前記電源コンセントと前記タグ管理装置とは通信手段を介して接続されており、
前記タグ管理装置は、前記第１識別情報に応じて、前記通信手段を介して前記電源コンセントによる電力の供給を制御するところに特徴を有する。
【００２９】
請求項２２の電力供給システムの発明は、第１識別情報が記憶されるＩＣタグを有する電源プラグと、
前記電源プラグを差込み可能であり前記電源プラグのＩＣタグに記憶された第１識別情報を取得する識別情報取得手段を有する電源コンセントと、を備え、
前記電源プラグが前記電源コンセントに差込まれた場合には、前記ＩＣタグの第１識別情報に応じて前記電源コンセントから前記電源プラグに電力が供給されるところに特徴を有する。
【００３０】
請求項２３の電力供給システムの発明は、電源コンセントに差込可能であって前記電源コンセント側に送出される第１識別情報が記憶されるＩＣタグを備える電源プラグと、
使用者に関する情報である第２識別情報を入力可能な入力手段と前記電源プラグのＩＣタグに前記第１識別情報を書き込み可能な書き込み手段とを備えるタグ管理装置と、を備え、
前記電源プラグが前記タグ管理装置にセットされた場合には、前記使用者が入力した前記第２識別情報と対応する前記第１識別情報が前記書き込み手段により前記ＩＣタグに書き込まれるところに特徴を有する。
【００３１】
請求項２４の電力供給システムの発明は、電源プラグを差込み可能であり前記電源プラグのＩＣタグに記憶された第１識別情報を取得する識別情報取得手段を有する電源コンセントと、
電源プラグから電源コンセントが取得した第１識別情報が参照用データに登録されているかどうかを判定する判定手段と前記判定手段により前記第１識別情報が前記参照用データに登録されていると判定した場合に前記判定結果に基づく情報を前記電源コンセント側に送出する送出手段とを有するタグ管理装置と、を備え、
前記電源プラグが前記電源コンセントに差込まれた場合には、前記ＩＣタグの第１識別情報に応じて前記電源コンセントから前記電源プラグに電力が供給されるところに特徴を有する。
【発明の効果】
【００３２】
＜請求項１の効果＞
本構成によれば、通信手段を有しない電気機器等であっても、当該電気機器等の電源プラグを電源コンセントに差込むという簡単な作業で、第１識別情報に応じて電源コンセントから電力の供給を受けることができる。
【００３３】
＜請求項２の効果＞
本構成によれば、異なる電気機器等について電力の供給を受けたい場合に、所望の電気機器等のプラグにアダプタプラグを連結すれば電力の供給を受けることが出来るから、使用したい（電力の供給を受けたい）全ての電気機器等の電源プラグにＩＣタグを備える必要がなくなる。
【００３４】
＜請求項３の効果＞
本構成によれば、ＩＣタグが電源プラグに内蔵されているから、ＩＣタグが外付けされる構成と比較して、電源コンセントとＩＣタグとの間の位置関係（向き）を通信の指向性に適した位置関係とすることができ、電源コンセントとＩＣタグとの間の通信誤りを防止することが可能になる。
【００３５】
＜請求項４の効果＞
本構成によれば、外部からのノイズ等を受けにくく、より確実にＩＣタグの第１識別情報を電源コンセント側に送出することができる。
【００３６】
＜請求項５の効果＞
本構成によれば、異なる使用者や異なる用途等に応じて異なる第１識別情報をＩＣタグに記憶させることができる。
【００３７】
＜請求項６の効果＞
本構成によれば、ＩＣタグの第１識別情報を電源コンセントが取得することができる。
【００３８】
＜請求項７の効果＞
本構成によれば、必要に応じて電源プラグ側への電力の供給を遮断することができる。
【００３９】
＜請求項８の効果＞
本構成によれば、計測した電力量を、供給する電力量の制御等を行うことや課金すべき金額の決定に用いることができる。
【００４０】
＜請求項９の効果＞
本構成によれば、電源プラグが差込まれていないときの電力消費を抑制することができる。
【００４１】
＜請求項１０の効果＞
本構成によれば、電源プラグが差込まれたことを検知する差込検知手段を設けなくてもよい。
【００４２】
＜請求項１１の効果＞
本構成によれば、第１識別情報の認証等をタグ管理装置に行わせることができる。
【００４３】
＜請求項１２の効果＞
本構成によれば、第１識別情報が参照用データに登録されているかどうかに基づき、電源コンセント側にて電力の供給を制御することができる。
【００４４】
＜請求項１３の効果＞
本構成によれば、入力手段に入力した第２識別情報に基づき、ＩＣタグに第１識別情報が書き込まれるから、第１識別情報に応じて電力の供給を行うことができる。
【００４５】
＜請求項１４の効果＞
本構成によれば、通信手段を介して第１識別情報に応じて電力の供給を制御することができる。
【００４６】
＜請求項１５の効果＞
本構成によれば、有効期限経過後は電力の供給が行われないから、有効期限経過後に登録した使用者以外による電力の不正使用を防止することができる。
【００４７】
＜請求項１６の効果＞
本構成によれば、使用者が有効期限をを定める必要がない。
【００４８】
＜請求項１７の効果＞
本構成によれば、登録した使用者が電気機器をすぐに使用しない場合に、有効期限経過により登録した使用者自身が使用できない事態を防止できる。
【００４９】
＜請求項１８の効果＞
本構成によれば、使用者の使用時期に応じた有効期限とすることができる。
【００５０】
＜請求項１９の効果＞
本構成によれば、差込回数に応じて電力の供給が行われなくなるから、所定の差込回数の後は、使用者以外による電力の不正使用を防止することができる。
【００５１】
＜請求項２０の効果＞
本構成によれば、判定手段により第１識別情報が参照用データに登録されているかどうかを判定し、第１識別情報が前記参照用データに登録されていると判定した場合には、送出手段により判定結果に応じた情報が電源コンセント側に送出される。したがって、電源コンセント側に送出された判定結果に応じた情報に基づき電源プラグに電力を供給することができる。
【００５２】
＜請求項２１の効果＞
本構成によれば、前記タグ管理装置は、通信手段を介して第１識別情報に応じて電力の供給を制御することができる。
【００５３】
＜請求項２２の効果＞
本構成によれば、ＩＣタグの第１識別情報に応じて電源コンセントから電源プラグに電力を供給することができる。
【００５４】
＜請求項２３の効果＞
本構成によれば、複数の電源プラグに対してそれぞれ異なる一意の識別情報を使用者の情報と関連付けて一定の期間だけ付与することができる。したがって、電力の不正な使用を防止するとともに、簡便に電力を供給することができる。
【００５５】
＜請求項２４の効果＞
本構成によれば、判定手段により第１識別情報が参照用データに登録されているかどうかを判定し、第１識別情報が前記参照用データに登録されていると判定した場合には、送出手段により判定結果に応じた情報が電源コンセント側に送出される。したがって、電源コンセント側に送出された判定結果に応じた情報に基づき電源コンセント側から電源プラグに電力を供給することができる。
【発明を実施するための最良の形態】
【００５６】
＜実施形態１＞
本発明の実施形態１を図１ないし図１１を参照して説明する。
本発明の実施形態１の電力供給システム１は、駅のホームやホテル等の公共の場所でドライヤーや髭剃り等の電気機器を使用する際の電力の供給が有償にて行われるものである。
【００５７】
１．電力供給システムの構成
電力供給システム１は、図１に示すように、ＩＣタグ１５（ＲＦＩＤタグ）を備えた電源プラグ１０と、駅のホームやホテル等に複数配され電源プラグ１０の差込可能な電源コンセント２０と、電源プラグ１０のＩＣタグ１５に記憶されるプラグに関する識別情報（プラグＩＤ）を管理するタグ管理装置３０と、から構成されている。
【００５８】
＜電源プラグの構成＞
電源プラグ１０は、図３に示すように、電気機器（図示しない）と電源コードを介して接続されるプラグの先端（接続端）側に連結可能なアダプタプラグである。電源プラグ１０は、合成樹脂製で断面山形の柱状をなすハウジングを有し、ハウジングの一端側の面１０Ａからは、２本の電極１１，１１が左右一対突設される一方、他端側の面１０Ｂには、左右一対の差込み口１２，１２が凹設されており、この差込み口１２，１２に電気機器のプラグの一対の電極（図示しない）が差込まれることにより電気機器のプラグと電源プラグ１０とが連結（電気的に接続）されている。なお、電源プラグ１０の他端側の面１０Ｂの上部中央には、電気機器のアース端子を差込むための差込み口１３が設けられている。
【００５９】
そして、電気機器のプラグと電源プラグ１０とが連結された状態で２本の電極１１，１１を電源コンセント２０の差込部２０Ａに差込むことで、電源コンセント２０から電源プラグ１０を介して電気機器に電力が供給されるようになっている。
【００６０】
ここで、電源プラグ１０の一端側の面１０Ａの幅方向の中間部分（２本の電極１１，１１の中間部分）には、山形の頂部から底部のほぼ全体に亘って略長方形状のＩＣタグ１５が、外部には露出せず一端側の面１０Ａからハウジング内にわずかに埋設（内蔵）されている。このＩＣタグ１５は、書換え可能なメモリ（記憶手段）を備えており、電源コンセント２０（タグ管理装置３０）側からＲＦ(Radio Frequency)信号を受けると、内部に記憶された識別情報（プラグＩＤ。本発明の「第１識別情報」）を電源コンセント２０（タグ管理装置３０）側に送信することや、新たな識別情報（プラグＩＤ）を書き込むことができるようになっている。
【００６１】
＜電源コンセントの構成＞
電源コンセント２０は、図４に示すように、その外面（露出面）に電源プラグ１０の２本の電極１１，１１を差込み可能な一対の差込部２０Ａが凹設されており、電源コンセント２０の内部には、図２に示すように、プラグが差込まれたことを検知する差込み検知センサ２１（本発明の「差込み検知手段」に相当）と、電気機器に供給される電力を計測する電力計２２（本発明の「計測手段」に相当）と、電力供給経路に配されるスイッチ２３（本発明の「電力遮断手段」に相当）と、電源プラグ１０のＩＣタグ１５のプラグＩＤを読み取るタグ読み取り装置２４（本発明の「識別情報取得手段」に相当）と、を備えて構成されている。
【００６２】
差込み検知センサ２１は、例えば、電源プラグ１０の２本の電極１１，１１の挿入経路上を横切るように光軸が形成される投光素子及びこれと対をなす受光素子とを備えて構成されており、プラグが差込まれると光軸が遮光されるようになっている。これにより、遮光状態の有無により異なる検知信号がタグ読み取り装置２４の電力供給制御回路２６に送信されるようになっている。
【００６３】
電力計２２は、電源からの導電経路のうち、タグ読み取り装置２４側と差込部２０Ａ側との分岐後の差込部２０Ａに至る導電経路上に配されており、電圧値及び電流値に基づいて電気機器に供給される電力量を計測するものである。また、この電力計２２は、計測された供給電力量の情報をタグ読み取り装置２４の電力供給制御回路２６に常時送信するようになっている。
【００６４】
タグ読み取り装置２４は、アンテナ部２５と電力供給制御回路２６とから構成されている。
電力供給制御回路２６は、差込み検知センサ２１からプラグの検知信号を受けると、アンテナ部２５からＲＦ信号を送出させるとともに、電源プラグ１０のＩＣタグ１５に記憶されたプラグＩＤを電磁誘導作用によりアンテナ部２５を介して取得する。そして、取得したプラグＩＤをＩ／Ｏ２９，３９及び通信ケーブル（通信手段。図示しない）を介して後述するタグ管理装置３０に送出するとともに、取得したプラグＩＤについての電力供給の可否及び使用可能金額の情報をタグ管理装置３０から受信すると、受信した信号に応じてスイッチ２３をオンオフ制御することで、電気機器に供給する電力を制御する。
【００６５】
具体的には、取得したプラグＩＤの電力供給可能及び最大供給電力の情報をタグ管理装置３０から受信するとスイッチ２３をオンする。
そして、電力供給制御回路２６が、差込み検知センサ２１からプラグが抜かれたという検知信号を受けるか又は電力計２２から電力量が最大供給電力に達したという信号を受けたときに、スイッチ２３をオフさせて電力供給を停止させるとともに、供給した電力量及びプラグＩＤをタグ管理装置３０に送信する。
【００６６】
＜タグ管理装置の構成＞
タグ管理装置３０は、例えば、駅の各ホームごとに１つ設けられており、クレジットカード会社の課金装置４０と信号の送受信可能に構成され、その外面に電源プラグ１０の２本の電極１１，１１を差込み可能な一対の差込部３０Ａが凹設されている。
【００６７】
タグ管理装置３０の内部には、プラグが差込まれた（セットされた）ことを検知する差込み検知センサ３１と、使用者に関する情報が入力される入力部３２（本発明の「入力手段」に相当）と、プラグのＩＣタグ１５にプラグＩＤを書き込むタグ書き込み装置３４と、を備えて構成されている。なお、タグ管理装置３０から電気機器のプラグに電力を供給しないため、差込部３０Ａは電源と電気的に接続されていない。
【００６８】
差込み検知センサ３１は、電源コンセント２０側と同様であり、プラグ挿入状態に応じた検知信号がタグ書き込み装置３４の管理制御回路３６に送信されるようになっている。
【００６９】
入力部３２は、図５に示すように、クレジットカードを挿入するためのカード挿入口９１と、挿入されたクレジットカードのＩＣチップに記憶されている情報を読み取る読取装置（図示しない）と、パスワードを入力するためのキーボード９２と、使用者への操作ガイド等の表示を行うモニタ９０（例えば、ＬＣＤディスプレイ）とを備えており、クレジットカードをカード挿入口９１に挿入することによりクレジットカード番号等の使用者に関する情報（以下「使用者ＩＤ」という。本発明の「第２識別情報」に相当）を読み取り、使用者ＩＤ及びパスワードをタグ書き込み装置３４の管理制御回路３６に送信するようになっている。
【００７０】
タグ書き込み装置３４は、図２に示すように、アンテナ部３５と管理制御回路３６とから構成されている。
管理制御回路３６は、差込み検知センサ３１からプラグが差込まれたことによる検知信号を受けると、入力部３２を入力操作可能な状態とする。そして、使用者ＩＤが入力部３２に入力されると、かかる情報をクレジットカード会社の課金装置４０に送信するとともに、課金装置４０から支払能力の認証の可否及び支払い可能な金額の情報を受信する。
【００７１】
そして、管理制御回路３６は、使用者ＩＤに対応させてプラグＩＤ（識別情報）を生成し、生成したプラグＩＤと、使用者ＩＤ、最大供給可能電力量、状態＝使用ｏｒ未使用、登録日時の組（プラグＩＤごとに対応付けられた組）を内部のタグデータベース３７（本発明の「参照用データ）に記憶する。
【００７２】
タグデータベース３７に記憶されたプラグＩＤと関連する組の情報（プラグＩＤ、使用者ＩＤ、最大供給可能電力量、登録日時、状態）は、所定時間（有効期限）後に消去されるようになっており、メモリ（図示しない）には、かかる所定時間の情報が予め記憶されている。
【００７３】
ここで、「所定時間（有効期限）」は、プラグＩＤのタグデータベース３７への登録後の時間とされている。なお、所定時間を、例えば、電源プラグ１０が電源コンセント２０に（複数回あるときには最初に）差し込まれてからの経過時間（差込み検知センサ２１からの検知信号が電力供給制御回路２６を介して管理制御回路３６にて受信されてから経過時間）としてもよく、また、クレジットカードの挿入時（使用者ＩＤの入力時）に、特定の時刻（消去される時刻）を入力部３２のキーボード９２から入力するようにし、この時刻を有効期限として、当該時刻経過後にプラグＩＤと関連する組の情報を消去するようにしてもよい。
【００７４】
また、管理制御回路３６は、生成したプラグＩＤ（識別情報）を電磁誘導作用によりアンテナ部３５を介して電源プラグ１０のＩＣタグ１５に書き込む。したがって、管理制御回路３６が本発明の書き込み手段に相当する。
そして、ＩＣタグ１５へのプラグＩＤの書き込みが終了すると、かかる表示をモニタ９０（図５参照）に表示することにより、使用者は登録が完了したことを知ることができる。
さらに、管理制御回路３６は、電源コンセント２０が電源プラグ１０側から取得したプラグＩＤについて電力供給の可否を問い合わせる信号を受けた場合には、プラグＩＤがタグデータベース３７に登録されているかどうかを判定し、その判定結果及び登録されている場合には使用可能金額の情報を電源コンセント２０のの電力供給制御回路２６に送出する。したがって、管理制御回路３６が、本発明の判定手段及び送出手段としての機能も有している。
【００７５】
＜課金装置の構成＞
課金装置４０は、クレジットカード会社内に設けられており、タグ管理装置３０と通信ケーブル等の通信手段により接続されている。
【００７６】
課金装置４０には、内部の使用者データベース４１に使用者ＩＤが多数記憶されているとともに、各使用者ＩＤごとに料金支払いの可否及び支払い可能な場合には使用可能な金額が記憶されており、タグ管理装置３０の管理制御回路３６から使用者ＩＤの問い合わせを受けると、当該使用者ＩＤについての料金支払いの可否及び支払い可能な場合には使用可能な金額を返信する。
【００７７】
２．タグ管理装置の処理
次に、タグ管理装置３０の処理について図６から図１０を参照しつつ説明する。なお、タグ管理装置３０は、いわゆるマルチタスクＯＳ（マルチタスク機能により、複数のプログラムを同時実行できるようにしたオペレーティングシステム）によって、図６，８，９，１０の各処理が時分割に並行処理（見かけ上、同時処理）されるものであるが、マルチタスクＯＳに限らず、例えば、一定時間間隔おきに複数のプログラムの切り替えを行って同時並行的に処理を実行するようにしてもよい。
【００７８】
＜タグ管理装置へのプラグＩＤ書き込み時＞
図６に示すように、タグ管理装置３０の管理制御回路３６は、電気機器の電源プラグ１０が差込まれたことを検知すると（Ｓ１１で「Ｙ」）、例えば、モニタ９０にクレジットカードの挿入を指示する画面を表示させる（Ｓ１２）。そして、クレジットカードの使用者ＩＤ及びパスワードが入力されると（Ｓ１３で「Ｙ」）、課金装置４０に使用者ＩＤ及びパスワードを送信する（Ｓ１４）。そして、使用者ＩＤが課金装置４０の使用者データベース４１に料金支払い不能として記憶されている場合には、課金装置４０から認証不可の信号が返信されるから（Ｓ１５で「Ｎ」）、管理制御回路３６がモニタ９０に認証不可の表示をさせて使用者に通知する（Ｓ１６）。
【００７９】
一方、使用者ＩＤが課金装置４０の使用者データベース４１に料金支払い可能として記憶されている場合には、課金装置４０から認証（可能）の信号が返信されるから（Ｓ１５で「Ｙ」）、管理制御回路３６がモニタ９０に認証の表示をさせる。
【００８０】
また、課金装置４０からは、認証の信号とともに、料金支払い（課金）可能な最大料金の情報が送信されるようになっており、管理制御回路３６は、受信した最大料金の情報と予めメモリに記憶されている単位電気料金とから最大供給電力量を決定する（Ｓ１７）。
【００８１】
次に、管理制御回路３６は、ＩＣタグ１５に記憶させる１個の（一意な）プラグＩＤを次に示す処理で決定する。
【００８２】
＜一意なプラグＩＤの決定＞
図７に示すように、タグ管理装置３０の管理制御回路３６は乱数を発生させ（Ｓ３１）、この乱数のうちから１つの値を定め、この１つの値をプラグＩＤとして（Ｓ３２）メモリに記憶する。
【００８３】
次に、ここで定めた１つの値（プラグＩＤ）とタグデータベース３７内に記憶されているプラグＩＤとに、重複するプラグＩＤがあるかどうか検査し（Ｓ３３）、プラグＩＤが重複する場合には（Ｓ３４で「Ｎ」）、再び乱数を発生させてプラグＩＤを定める。
【００８４】
一方、プラグＩＤが重複しない場合には（Ｓ３４で「Ｙ」）、図６に示すように、プラグＩＤをＩＣタグ１５に書き込ませる（Ｓ１９）。
【００８５】
そして、タグデータベース３７にプラグＩＤ，使用者ＩＤ，最大供給電力量，登録日時、状態＝未使用）の組を記憶し（Ｓ２０）、登録完了を使用者に通知する（Ｓ２１）。そして、電源プラグ１０が使用者により抜き取られ、かかる検知信号を差込み検知センサ３１から受信すると（Ｓ２２で「Ｙ」）、再び差込み検知センサ３１から電源プラグ１０が差込まれたことによる検知信号を受信するまで待つ（Ｓ１１で「Ｎ」）。
以後、電源プラグ１０が差込まれ、かかる検知信号を差込み検知センサ３１から受信すると、その都度上記処理を繰り返し行う（Ｓ１１〜Ｓ２２）。
一方、上記登録（書き込み）の完了した使用者は、タグ管理装置３０から外した電源プラグ１０を、電気機器を使用したい場所にある電源コンセント２０に差込む。これにより、管理制御回路３６は以下の処理を実行する。
【００８６】
＜プラグの電源コンセント差込み時＞
電源コンセント２０に電源プラグ１０が差込まれると、タグ管理装置３０の管理制御回路３６は、図８に示すように、電源コンセント２０からプラグＩＤが登録されているかどうかを問い合わせる信号を受けるから（Ｓ４１で「Ｙ」）、管理制御回路３６は、問い合わされたプラグＩＤがタグデータベース３７に登録されているかどうか判定する（Ｓ４２）。
【００８７】
問い合わされたプラグＩＤがタグデータベース３７に登録されていない場合には（Ｓ４３で「Ｎ」）、電源コンセント２０の電力供給制御回路２６に電力供給不可の信号を返信する（Ｓ４４）。
【００８８】
一方、プラグＩＤがタグデータベース３７に登録されている場合には（Ｓ４３で「Ｙ」）、タグデータベース３７から当該プラグＩＤが含まれた情報の組を読み出し、問い合わされたプラグＩＤの組が未使用であるかどうか判定される（Ｓ４５）。
【００８９】
そして、問い合わされたプラグＩＤの組が使用されている（状態＝使用）場合には（Ｓ４５で「Ｎ」）、電力供給制御回路２６にエラー発生及び供給不可能であるという信号を送信する（Ｓ４６，４４）。
【００９０】
一方、問い合わされたプラグＩＤの組が使用されていない（状態＝未使用）場合には（Ｓ４５で「Ｙ」）、タグデータベース３７に記憶されている当該プラグＩＤの組の状態を使用中（状態＝使用）に書き換える（Ｓ４７）。
【００９１】
そして、タグデータベース３７に記憶されている当該プラグＩＤの組の情報のうち、最大供給可能電力量の情報を電源コンセント２０の電力供給制御回路２６に送信する（Ｓ４８）。これにより、電源コンセント２０に送信された情報に基づき、電源コンセント２０側で電力の供給が行われる。
電源コンセント２０への供給可能又は供給不可能の信号の送出が完了すると、電源コンセント２０からプラグＩＤが登録されているかどうかを問い合わせる信号を受けるまで待つ（Ｓ４１で「Ｎ」）。そして、電源コンセント２０からプラグＩＤが登録されているかどうかを問い合わせる信号を受けると、その都度上記処理を繰り返す（Ｓ４１で「Ｙ」，Ｓ４２〜Ｓ４８）。
【００９２】
＜タグ抹消＞
次に、電源コンセント２０側にて電力の供給が終了すると、電源コンセント２０からプラグＩＤと供給した総電力量の通知がタグ管理装置３０の管理制御回路３６に送信される。
【００９３】
図９に示すように、タグ管理装置３０の管理制御回路３６がプラグＩＤと供給した総電力量の通知を受けると（Ｓ５１で「Ｙ」）、タグデータベース３７から当該プラグＩＤを検索し、当該プラグＩＤと対応する使用者ＩＤを読み出す（Ｓ５２）。
【００９４】
そして、課金装置４０に使用者ＩＤと総電力供給量に基づく料金を通知する（Ｓ５３）。
【００９５】
そして、使用者ＩＤと総電力供給量に基づく料金の通知が完了すると、タグデータベース３７に記憶されているプラグＩＤ（使用者ＩＤ）の該当する組の情報を削除する（Ｓ５４）。
プラグＩＤ（使用者ＩＤ）の該当する組の情報の削除が完了すると、プラグＩＤと供給した総電力量の通知を受けるまで待つ（Ｓ５１で「Ｎ」）。そして、プラグＩＤと供給した総電力量の通知を受けると、その都度上記処理を繰り返す（Ｓ５１で「Ｙ」，Ｓ５２〜Ｓ５４）。
なお、タグデータベース３７に記憶されているプラグＩＤ（使用者ＩＤ）の組の情報は、上記以外にも以下に示すように定期的に抹消されるようになっている。
【００９６】
＜定期的タグ抹消＞
図１０に示すように、タグデータベース３７へのプラグＩＤの書き込み後、所定時間（有効期限）経過すると（Ｓ６１で「Ｙ」）、管理制御回路３６は、電力が未使用の状態で所定時間経過したプラグＩＤ（使用者ＩＤ）の組がないかどうか検索する（Ｓ６２）。
【００９７】
電力が未使用の状態で所定時間経過したプラグＩＤ（使用者ＩＤ）の組がある場合には（Ｓ６２で「Ｙ」）、該当する組の情報をタグデータベース３７から削除する。
【００９８】
一方、電力が未使用の状態で所定時間経過したプラグＩＤ（使用者ＩＤ）の組がない場合には（Ｓ６２で「Ｎ」）、再び所定時間経過後に電力が未使用の状態で所定時間経過したプラグＩＤ（使用者ＩＤ）の組がないかどうかの検索が行われる（Ｓ６１，Ｓ６２）。
また、該当する組の情報のタグデータベース３７からの削除が完了すると、電力が未使用の状態で所定時間経過したプラグＩＤ（使用者ＩＤ）の組がないかどうか検索が行われる（Ｓ６２）。
【００９９】
３．電源コンセントの電力供給制御回路の処理
次に、電力供給制御回路２６の処理について図１１を参照しつつ説明する。
＜電力供給制御回路の処理＞
電源プラグ１０が差込まれることにより、差込み検知センサ２１から検知信号を受けると（Ｓ７１で「Ｙ」）、電力供給制御回路２６はアンテナ部２５からＲＦ信号を送出させるとともに、電源プラグ１０のＩＣタグ１５からプラグＩＤをアンテナ部２５を介して受信（取得）する（Ｓ７２）。
【０１００】
次に、電力供給制御回路２６は受信（取得）したプラグＩＤをタグ管理装置３０のタグデータベース３７に送出する（タグデータベース３７に登録されているか問い合わせる。Ｓ７３）。そして、受信（取得）したプラグＩＤがタグデータベース３７に登録されていなければ（Ｓ７４で「Ｎ」）、タグ管理装置３０から電力供給の不可の信号が返信されるから、電力の供給を行わせず、エラー表示灯９３（図４参照）を点灯させ（Ｓ７５）、当該電源プラグ１０が差込まれている限り（Ｓ７１で「Ｙ」）、上記処理を繰り返す（Ｓ７２〜Ｓ７５）
【０１０１】
一方、受信（取得）したプラグＩＤがタグデータベース３７に登録されていれば（Ｓ７４で「Ｙ」）、タグ管理装置３０から最大供給可能電力量が返信されるから、電力供給制御回路２６は、スイッチ２３をオンさせて電気機器への電力供給を開始させるとともに（Ｓ７６）、電力計２２に電力の計測を開始させる（Ｓ７７）。
【０１０２】
そして、電力供給制御回路２６は、電力計２２から電力量の計測値を常時受けており、供給された電力量が最大供給可能電力量に達しなければ（Ｓ７８で「Ｙ」，Ｓ７９で「Ｙ」）、電力の供給を継続させる。
【０１０３】
一方、供給された電力量が最大供給可能電力量に達すると（Ｓ７８で「Ｙ」，Ｓ７９で「Ｎ」）、電力供給量の計測を終了し（Ｓ８０）、電力の総供給量をタグ管理装置３０に通知するとともに（Ｓ８１）、スイッチ２３をオフさせて電力供給を停止させる（Ｓ８２）。
【０１０４】
また、供給された電力量が最大供給可能電力量に達しなくても、差し込み検知センサから電源プラグ１０が抜かれたという信号を電力供給制御回路２６が受けると（Ｓ７８で「Ｙ」）、電力供給制御回路２６は電力供給量の計測を終了し（Ｓ８０）、電力の総供給量をタグ管理装置３０に通知するとともに（Ｓ８１）、スイッチ２３をオフさせて電力供給を停止させる（Ｓ８２）。
スイッチ２３をオフさせた後は、差込み検知センサ２１から電源プラグ１０が差込まれたことによる検知信号を受けるまで待機する（Ｓ７１で「Ｎ」）。そして、差込み検知センサ２１から前記検知信号を受けると（Ｓ７１で「Ｙ」）、その都度上記処理を繰り返す（Ｓ７２〜Ｓ８２）。
【０１０５】
４．課金装置の処理
次に、課金装置４０の処理について説明する。
課金装置４０は、タグ管理装置３０から使用者ＩＤとパスワードを受信すると、使用者データベース４１を参照して使用者ＩＤ及びパスワードを認証するとともに、使用者の使用可能な料金をタグ管理装置３０に通知する。
【０１０６】
また、タグ管理装置３０から使用者ＩＤと使用料金の情報を受信すると、使用者に課金して銀行口座等から料金を引き落とす。
【０１０７】
５．本実施形態の効果
本実施形態によれば、通信手段を有しない電気機器等であっても、当該電気機器等の電源プラグ１０を電源コンセント２０差込むという簡単な作業で、プラグＩＤ（第１識別情報）に応じて電源コンセント２０から電力の供給を受けることができる。
【０１０８】
また、異なる電気機器等について電力の供給を受けたい場合に、所望の電気機器等のプラグに電源プラグ１０を連結すれば電力の供給を受けることが出来るから、使用したい（電力の供給を受けたい）全ての電気機器等の電源プラグ１０にＩＣタグ１５を備える必要がなくなる。
【０１０９】
また、本実施形態によれば、ＩＣタグ１５が電源プラグ１０に内蔵されているから、ＩＣタグ１５が外付けされる構成と比較して、電源コンセント２０とＩＣタグ１５との間の位置関係（向き）を通信の指向性に適した位置関係とすることができ、電源コンセント２０とＩＣタグ１５との間の通信誤りを防止することが可能になる。
【０１１０】
さらに、所定時間（有効期限）経過後は電力の供給が行われないから、所定時間経過後に登録した使用者以外による電力の不正使用を防止することができる。
【０１１１】
＜実施形態２＞
次に、本発明の実施形態２を説明する。実施形態１では、所定時間（有効期限）経過後にタグデータベース３７からプラグＩＤの組を消去する構成としたが、実施形態２では、電源プラグ１０の電源コンセント２０への差込み回数に応じてタグデータベース３７からプラグＩＤの組を消去する構成とするものである。なお、実施形態１と同一の構成については説明を省略する。
電源コンセント２０の電力供給制御回路２６は、差込み検知センサ２１からの検知信号を受けると、かかる検知信号をタグ管理装置３０の管理制御回路３６に送信する。
【０１１２】
管理制御回路３６のタグデータベース３７には、プラグＩＤ（使用者ＩＤ）の組に電源プラグ１０の電源コンセント２０への差込み回数を記憶できるようになっており、タグ管理装置３０の管理制御回路３６は、検知信号を受けた回数をタグデータベース３７の該当するプラグＩＤの組に記憶する。
【０１１３】
そして、この記憶した検知信号を受けた回数が、予めメモリに記憶されている所定回数に達すると、電力供給が終了したときにタグデータベース３７の該当するプラグＩＤの組を消去する。
【０１１４】
実施形態２によれば、差込回数に応じて電力の供給が行われなくなるから、所定の差込回数の後は、使用者以外による電力の不正使用を防止することができる。
【０１１５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【０１１６】
（１）上記実施形態では、電力供給システムは、駅のホームやホテル等の公共の場所で使用されるものとしたが、これに限られず、他の場所に使用されるものであってもよい。
【０１１７】
（２）上記実施形態では、タグ管理装置３０は、電源コンセント２０と同様に駅のホームにあることとしたが、これに限られず、電源コンセント２０から離れた場所にあってもよい。また、タグ管理装置３０は、複数（多数）設けられるものであってもよい。さらに、タグ管理装置３０を駅構内に、電源コンセント２０は駅構内でなく例えば列車の各座席に設置してもよい。このようにすれば、出発駅で登録して到着までの移動時間中に電力の供給を受けることができる。
【０１１８】
（３）上記実施形態では、タグ管理装置３０及び電源コンセント２０は、差込検知センサにより電源プラグ１０が差込まれたことが検知されたときに、電力供給制御回路２６又は管理制御回路３６を動作させて電源プラグ１０側にＲＦ信号を送信する構成としたが、差込検知センサを設けず、常時電力供給制御回路２６又は管理制御回路３６を動作させて電源プラグ１０側にＲＦ信号を送信する構成としてもよい。
【０１１９】
（４）上記実施形態では、クレジットカードにより、電力の使用後に料金の徴収を行う構成としたが、これに限られず、例えば、料金を先払いして電力の供給を受ける構成としてもよい。
この場合、電力の使用に先立ってタグ管理装置に使用したい電力量に応じた料金を支払うと、タグ管理装置にて、プラグＩＤが生成され、プラグＩＤと支払った料金を組にしてタグデータベースに記憶されるとともに、タグ管理装置に差込まれた電源プラグのＩＤタグにプラグＩＤの書き込みが行われる。
そして、電源コンセントに電源プラグを差込むと、電源コンセントにプラグＩＤが読み込まれてタグ管理装置に送信される。そして、タグ管理装置のタグデータベースに記憶されているプラグＩＤのうちから、読み込んだプラグＩＤと等しいプラグＩＤを検索し、当該プラグＩＤと組になって記憶されている料金（先払いした料金）に応じて電力の供給が行われるようにすればよい。
【０１２０】
（５）上記実施形態では、タグ管理装置にてプラグＩＤを管理（記憶）する構成としたが、タグ管理装置を有さない構成でもよい。例えば、予めプラグＩＤの記憶されたＩＣタグを有する電源プラグを用いて電力の供給を受ける構成としてもよい。
【０１２１】
（６）上記実施形態では、アダプタプラグにＩＣタグが設けられる構成としたが、電気機器のプラグに直接ＩＣタグを設けるようにしてもよい。
【０１２２】
（７）各装置間に設けられる通信手段は無線通信及び有線通信のいずれでもよい。
【０１２３】
（８）電源コードが延出されたプラグの当該電源コードにＩＣタグを設けてもよい。なお、上記実施形態に加え、更に以下に示す構成を付加してもよい。
例えば、電源コードに、それが接続される機器の消費電力情報をもつＩＣタグを取り付け、電源タップ（又は電源コンセント）にはＩＣタグの読取装置と、自身の最大供給可能電力情報を持たせる。
そして、電源タップは、接続された電源コードの消費電力情報を読みとり、合計を算出する。算出された合計値が電源タップの供給可能電力を超える、または、状況によっては超える可能性がある場合にユーザーに対し音を鳴らす、発光するなどの手段で通知する。
これにより、ユーザーは予め最大供給電力を超えてしまうかどうかを容易に認識できるため、他の供給装置に接続するかなどして電力供給不能状態へ陥る危険性を回避できる。
さらに、電源タップ（又は電源コンセント）の差込口に優先順位を付けておき、最大供給電力を超える可能性がある場合、最大供給電力を超えない範囲で優先順位の高い物から電力を供給してもよい。
【図面の簡単な説明】
【０１２４】
【図１】実施形態１の電力供給システムの概略的構成を示す図
【図２】タグ管理装置と電源コンセントの電気的構成を示す図
【図３】アダプタプラグの斜視図
【図４】電源コンセントのパネル構成の一例を示す正面図
【図５】タグ管理装置のパネル構成の一例を示す正面図
【図６】プラグＩＤの書き込み時のタグ管理装置の処理を示すフローチャート
【図７】一意なプラグＩＤの決定ルーチン
【図８】電源コンセントから問い合わせを受けたときのタグ管理装置の処理を示すフローチャート
【図９】タグ管理装置のタグ抹消時における処理を示すフローチャート
【図１０】タグ管理装置の定期的タグ抹消の処理を示すフローチャート
【図１１】電源コンセントの処理を示すフローチャート
【符号の説明】
【０１２５】
１０…電源プラグ
１５…ＩＣタグ
２０…電源コンセント
２１，３１…差込み検知センサ（差込み検知手段）
２２…電力計（計測手段）
２３…スイッチ（電力遮断手段）
２４…タグ読み取り装置（識別情報取得手段）
２６…電力供給制御回路
３０…タグ管理装置
３２…入力部（入力手段）
３４…タグ書き込み装置
３６…管理制御回路（判定手段、送出手段、書き込み手段）
３７…タグデータベース
４０…課金装置
４１…使用者データベース
９０…モニタ
９１…カード挿入口
９２…キーボード
９３…エラー表示灯
【図１】
2006244818.tif 000003
【図２】
2006244818.tif 000004
【図３】
2006244818.tif 000005
【図４】
2006244818.tif 000006
【図５】
2006244818.tif 000007
【図６】
2006244818.tif 000008
【図７】
2006244818.tif 000009
【図８】
2006244818.tif 000010
【図９】
2006244818.tif 000011
【図１０】
2006244818.tif 000012
【図１１】
2006244818.tif 000013